(57)【要約】【課題】  反りのある光ディスクでも、データを正しく記録できる光ディスク記録装置を提供する。【解決手段】  光ディスク記録装置１は、本体にＤＶＤ−Ｒ２がセットされると、まずＤＶＤ−Ｒ２のＬＰＰに記録されたメディアＩＤ情報（ＭＩＤ）を読み出して、その光ディスクのメーカや品種を判定し、その光ディスク用に設定されたライトストラテジをＲＯＭ１８から読み出して、ＯＰＣを行う前に、本体にセットされたＤＶＤ−Ｒ２の反り角を測定して、その反り角に応じてライトストラテジの補正を行う。また、光ディスク記録装置１では、反りの発生率が高い光ディスクのＭＩＤリストをファームウェアの更新の際に取得し、光ディスクが本体にセットされてＭＩＤを読み出すと、反りの発生率が高い光ディスクであるか否かをＭＩＤリストに基づいて判定し、該当する光ディスクの場合には、その光ディスクの反り角を測定して、ライトストラテジの補正を行う。【選択図】  図２
2006179089.tif 000002
【特許請求の範囲】
【請求項１】
光ディスクにデータを記録するときのレーザパワーの制御パターンであるライトストラテジを複数記憶するストラテジ記憶手段と、
本体にセットされた光ディスクのディスク識別情報を読み出す読出し手段と、
前記ディスク識別情報に基づいて、その光ディスク用のライトストラテジを前記ストラテジ記憶手段から読み出し、このライトストラテジを用いて光ディスクにデータを記録する記録手段と、
本体にセットされた光ディスクの反り角を測定する反り角測定手段と、
前記反り角測定手段が測定した反り角に応じて前記記録手段のチルト角を変更するチルト調整手段と、
を備えた光ディスク記録装置において、
前記反り角測定手段で測定した光ディスクの反り角と、その反り角に応じたライトストラテジの補正値と、を記憶する補正値記憶手段と、
光ディスクにデータを記録する前に、光ディスクの記録領域を複数に分割して記録領域毎にその光ディスクの反り角を前記反り角測定手段に測定させ、測定した反り角に応じたライトストラテジの補正値を前記補正値記憶手段から読み出して、記録領域毎にライトストラテジを補正するストラテジ補正手段と、
前記読出し手段が読み出したディスク識別情報と、前記反り角測定手段が測定した反り角の値と、を対応付けた測定データを記憶するデータ記憶手段と、
前記データ記憶手段に蓄積された測定データを分析して、反り角が閾値以上でライトストラテジの補正が必要である光ディスクを選出する判定手段と、を備え、
前記ストラテジ補正手段は、前記読出し手段が読み出したディスク識別情報が、前記判定手段が選出した光ディスクのディスク識別情報である場合のみ、ライトストラテジを補正することを特徴とする光ディスク記録装置。
【請求項２】
光ディスクにデータを記録するときのレーザパワーの制御パターンであるライトストラテジを複数記憶するストラテジ記憶手段と、
本体にセットされた光ディスクのディスク識別情報を読み出す読出し手段と、
前記ディスク識別情報に基づいて、その光ディスク用のライトストラテジを前記ストラテジ記憶手段から読み出し、このライトストラテジを用いて光ディスクにデータを記録する記録手段と、
本体にセットされた光ディスクの反り角を測定する反り角測定手段と、
前記反り角測定手段が測定した反り角に応じて前記記録手段のチルト角を変更するチルト調整手段と、
を備えた光ディスク記録装置において、
前記反り角測定手段で測定した光ディスクの反り角と、その反り角に応じたライトストラテジの補正値と、を記憶する補正値記憶手段と、
光ディスクにデータを記録する前に、光ディスクの記録領域を複数に分割して記録領域毎にその光ディスクの反り角を前記反り角測定手段に測定させ、測定した反り角に応じたライトストラテジの補正値を前記補正値記憶手段から読み出して、記録領域毎にライトストラテジを補正するストラテジ補正手段と、
ライトストラテジの補正が必要な光ディスクのディスク識別情報を記憶する補正情報記憶手段を備え、
前記ストラテジ補正手段は、本体にセットされた光ディスクのディスク識別情報が、前記補正情報記憶手段が記憶するディスク識別情報と一致したときに、ライトストラテジを補正することを特徴とする光ディスク記録装置。
【請求項３】
光ディスクにデータを記録するときのレーザパワーの制御パターンであるライトストラテジを複数記憶するストラテジ記憶手段と、
本体にセットされた光ディスクのディスク識別情報を読み出す読出し手段と、
前記ディスク識別情報に基づいて、その光ディスク用のライトストラテジを前記ストラテジ記憶手段から読み出し、このライトストラテジを用いて光ディスクにデータを記録する記録手段と、
本体にセットされた光ディスクの反り角を測定する反り角測定手段と、
前記反り角測定手段が測定した反り角に応じて前記記録手段のチルト角を変更するチルト調整手段と、
を備えた光ディスク記録装置において、
前記反り角測定手段で測定した光ディスクの反り角と、その反り角に応じたライトストラテジの補正値と、を記憶する補正値記憶手段と、
光ディスクにデータを記録する前に、その光ディスクの反り角を前記反り角測定手段に測定させ、測定した反り角に応じたライトストラテジの補正値を前記補正値記憶手段から読み出してライトストラテジを補正するストラテジ補正手段と、を備えたことを特徴とする光ディスク記録装置。
【請求項４】
前記ストラテジ補正手段は、光ディスクの記録領域を複数に分割して記録領域毎に反り角を前記反り角測定手段に測定させ、記録領域毎にライトストラテジを補正することを特徴とする請求項３に記載の光ディスク記録装置。
【請求項５】
前記読出し手段が読み出したディスク識別情報と、前記反り角測定手段が測定した反り角の値と、を対応付けた測定データを記憶するデータ記憶手段と、
前記データ記憶手段に蓄積された測定データを分析して、反り角が閾値以上でライトストラテジの補正が必要である光ディスクを選出する判定手段と、を備え、
前記ストラテジ補正手段は、前記読出し手段が読み出したディスク識別情報が、前記判定手段が選出した光ディスクのディスク識別情報である場合のみ、ライトストラテジを補正することを特徴とする請求項３または４に記載の光ディスク記録装置。
【請求項６】
ライトストラテジの補正が必要な光ディスクのディスク識別情報を記憶する補正情報記憶手段を備え、
前記ストラテジ補正手段は、本体にセットされた光ディスクのディスク識別情報が、前記補正情報記憶手段が記憶するディスク識別情報と一致したときに、ライトストラテジを補正することを特徴とする請求項３または４に記載の光ディスク記録装置。
【発明の詳細な説明】
【技術分野】
【０００１】
本発明は、光ディスクの反りに応じてライトストラテジを補正してデータを記録する光ディスク記録装置に関する。
【背景技術】
【０００２】
従来の光ディスク記録装置では、光ディスクにデータを記録するときのレーザパワーの制御パターンであるライトストラテジが、光ディスクのメーカや品種毎に設定されており、光ディスクにデータを記録する際には、光ディスクのディスク識別情報を読み取って光ディスクのメーカや品種を判別して、その光ディスクに応じたライトストラテジで光ディスクにデータを記録している。
【０００３】
また、従来の光ディスク記録装置では、データの書き込み前にテストデータの書き込み（ＯＰＣ）を行って記録パワーの最適値を決定し、この記録パワーで光ディスクにデータを記録している。
【０００４】
また、従来、常に正常なＯＰＣレンジでＯＰＣを実行して正しい最適記録パワーを決定し、その最適記録パワーによって記録媒体への記録品質を安定させるために、装置毎に調整されたＯＰＣレンジ補正パラメータに基づいて、試し書き時に記録パワーを補正する光ディスク記録装置があった（例えば、特許文献１参照。）。
【特許文献１】特開２００４−１３９６５８公報
【発明の開示】
【発明が解決しようとする課題】
【０００５】
ＣＤやＤＶＤなどの光ディスクでは、購入当初から反りが発生していることがあり、特にＤＶＤのようにデータ記録密度が高い光ディスクでは、反りが発生しているとデータを正しく記録できない場合がある。そのため、光ディスク記録装置には、本体にセットされた光ディスクの反り角を測定して、その反り角に応じて光ピックアップの傾き（チルト角）を補正するチルト調整機構が設けられている。
【０００６】
光ディスク記録装置では、チルト調整機構で光ディスクの記録面に対する光ピックアップのチルト角を補正することで、光ピックアップから照射されるレーザ光の入射角は光ディスクの記録面に対してほぼ垂直にすることができる。しかしながら、光ピックアップ内のレーザダイオードと光ディスクの記録面との距離は、光ディスクに反りが発生していない場合に比べて大きな値または小さな値になる。そのため、前記のようにＯＰＣを行って最適記録パワーを設定しても、特に反りの影響が大きい光ディスクの外周部でデータを正しく記録できない場合があるという問題があった。
【０００７】
そこで、本発明は、上記の問題を解決して、反りのある光ディスクであっても、データを正しく記録できる光ディスク記録装置を提供することを目的とする。
【課題を解決するための手段】
【０００８】
この発明は、上記の課題を解決するための手段として、以下の構成を備えている。
【０００９】
（１）光ディスクにデータを記録するときのレーザパワーの制御パターンであるライトストラテジを複数記憶するストラテジ記憶手段と、
本体にセットされた光ディスクのディスク識別情報を読み出す読出し手段と、
前記ディスク識別情報に基づいて、その光ディスク用のライトストラテジを前記ストラテジ記憶手段から読み出し、このライトストラテジを用いて光ディスクにデータを記録する記録手段と、
本体にセットされた光ディスクの反り角を測定する反り角測定手段と、
前記反り角測定手段が測定した反り角に応じて前記記録手段のチルト角を変更するチルト調整手段と、
を備えた光ディスク記録装置において、
前記反り角測定手段で測定した光ディスクの反り角と、その反り角に応じたライトストラテジの補正値と、を記憶する補正値記憶手段と、
光ディスクにデータを記録する前に、その光ディスクの反り角を前記反り角測定手段に測定させ、測定した反り角に応じたライトストラテジの補正値を前記補正値記憶手段から読み出してライトストラテジを補正するストラテジ補正手段と、を備えたことを特徴とする。
【００１０】
ＣＤやＤＶＤなどの光ディスクでは、反りが発生しているとデータを正しく記録できない場合があるため、光ディスク記録装置には、本体にセットされた光ディスクの反り角を検出して、その反り角に応じて光ピックアップの傾き（チルト角）を補正するチルト調整機構が設けられており、チルト調整機構で光ディスクの記録面に対する光ピックアップの角度を補正することで、光ピックアップから照射されるレーザ光の入射角は光ディスクの記録面に対してほぼ垂直にすることができる。しかしながら、光ピックアップ内のレーザダイオードと光ディスクの記録面との距離は、光ディスクに反りが発生していない場合に比べて、異なる値になるため、特に反りの影響が大きい光ディスクの外周部で、データを正しく記録できない場合がある。
【００１１】
この構成においては、光ディスク記録装置は、データの記録前に光ディスクの反り角を測定し、この反り角に応じてライトストラテジを補正する。つまり、反り角を測定することで、光ピックアップのレーザダイオードと光ディスクの記録面との距離がわかるので、レーザ光の記録パワーが適正な値となるようにこの距離に応じてライトストラテジを補正して記録パワーを変更する。したがって、光ディスクに反りが発生していても、データを読み出せるように正しく記録することかできる。
【００１２】
（２）前記ストラテジ補正手段は、光ディスクの記録領域を複数に分割して記録領域毎に反り角を前記反り角測定手段に測定させ、記録領域毎にライトストラテジを補正することを特徴とする。
【００１３】
この構成においては、光ディスクの記録領域を複数に分割して記録領域毎に反り角を測定して、この反り角に応じてライトストラテジを記録領域毎に補正する。したがって、光ディスクに反りが発生している場合には、記録領域毎に反り角が異なっているが、記録領域毎にライトストラテジを補正することができるので、各記録領域においてデータを正しく記録することができる。
【００１４】
（３）前記読出し手段が読み出したディスク識別情報と、前記反り角測定手段が測定した反り角の値と、を対応付けた測定データを記憶するデータ記憶手段と、
前記データ記憶手段に蓄積された測定データを分析して、反り角が閾値以上でライトストラテジの補正が必要である光ディスクを選出する判定手段と、を備え、
前記ストラテジ補正手段は、前記読出し手段が読み出したディスク識別情報が、前記判定手段が選出した光ディスクのディスク識別情報である場合のみ、ライトストラテジを補正することを特徴とする。
【００１５】
この構成においては、読出し手段が読み出したディスク識別情報と、反り角測定手段が測定した反り角の値と、を対応付けた測定データが所定量蓄積されると、これらのデータを分析して、反り角が閾値未満でライトストラテジの補正を行わなくてもデータを正しく記録できる光ディスクにはライトストラテジの補正を行わないようにするために、反り角が閾値以上でライトストラテジの補正が必要である光ディスクを選出する。そして、ストラテジ補正手段は、ライトストラテジの補正が必要と判定した光ディスクが本体にセットされた場合のみライトストラテジを補正する。したがって、ライトストラテジの補正が不要な光ディスクが本体にセットされた場合には、ライトストラテジの補正を行わないので、不要な処理を削減することができ、反り角が閾値以上の光ディスクに対してはライトストラテジの補正を行ってデータを正しく記録することができる。
【００１６】
（４）ライトストラテジの補正が必要な光ディスクのディスク識別情報を記憶する補正情報記憶手段を備え、
前記ストラテジ補正手段は、本体にセットされた光ディスクのディスク識別情報が、前記補正情報記憶手段が記憶するディスク識別情報と一致したときに、ライトストラテジを補正することを特徴とする。
【００１７】
この構成においては、補正情報記憶手段は、ライトストラテジの補正が必要な光ディスクのディスク識別情報を記憶しており、読出し手段が読み出したディスク識別情報が、補正情報記憶手段が記憶する光ディスクのディスク識別情報と一致すると、ストラテジ補正手段はライトストラテジを補正する。したがって、ライトストラテジの補正が必要な光ディスクの情報が予め光ディスク記録装置に設定されているので、測定データを蓄積しなくても、反りが発生しやすい光ディスクに対して容易にライトストラテジの補正を行うことができる。
【発明の効果】
【００１８】
本発明の光ディスク記録装置は、光ディスクの反りに応じてストラテジの値を補正するので、光ディスクの反りが大きい場合でも、問題なくデータを記録することができる。また、データを蓄積するので、反りの傾向をディスクメーカ毎に収集して、そのデータをストラテジの補正に使用することができる。
【発明を実施するための最良の形態】
【００１９】
図１は、光ディスク記録装置の概略構成を示すブロック図である。以下の説明では、光ディスク記録装置１は、記録型光ディスクの一例としてＤＶＤ−Ｒ２にデータを記録する場合について説明する。光ディスク記録装置１は、インタフェイス３を介してコンピュータ５に接続されている。また、コンピュータ５には、ディスプレイ６、ハードディスク（ＨＤＤ）７、キーボードやマウスなどの操作部８、及び通信インタフェイス９が接続される。
【００２０】
光ディスク記録装置１は、ＣＰＵ１０、モータ１１、モータ駆動回路１２、光ピックアップ１３、再生信号処理部１４、記録信号処理部１５、サーボ回路１６、ＲＡＭ１７、及びＲＯＭ１８を備えている。
【００２１】
ＣＰＵ１０は、コンピュータ５からの指示により、データの転送、ＤＶＤ−Ｒ２のデータ記録・読み取り（再生）を行う。モータ１１は、ＤＶＤ−Ｒ２を回転駆動する。モータ駆動回路１２は、モータ１１の駆動を制御する。光ピックアップ１３は、レーザダイオード、複数のレンズやフォトダイオードなどから成る光学機構、フォーカスサーボ機構・トラッキングサーボ機構・チルトサーボ機構などを備えており、光ディスクの記録面にレーザ光を照射して、データの記録を行ったり、データの読み出しを行ったりする。また、光ピックアップ１３には、チルトセンサ１３ｓが設けられており、光ディスクの反り角を測定することができる。再生信号処理部１４は、光ピックアップ１３から出力された再生信号を処理する。記録信号処理部１５は、光ピックアップ１３に対してデータの記録信号を出力する。サーボ回路１６は、光ピックアップ１３におけるフォーカスサーボ、及びトラッキングサーボの制御を行う。また、サーボ回路１６は、チルトセンサ１３ｓの出力信号に基づいてチルトサーボの制御を行い、光ピックアップ１３のチルト角（傾き）を調整する。ＲＡＭ１７は、ＣＰＵ１０に接続され、光ディスクへデータを書き込む際に必要なデバイス情報や、光ディスクのメーカや品種等の種別と、その種別に対応したライトストラテジの情報やライトストラテジの補正情報と、を対応付けたテーブルなどのファームウェアを記憶している。ＲＯＭ１８は、ＣＰＵ１０に接続され、ＣＰＵ１０で実行するプログラムなどを記憶している。
【００２２】
次に、光ディスク記録装置１の動作について説明する。光ディスク記録装置１は、本体にＤＶＤ−Ｒ２がセットされると、まずＤＶＤ−Ｒ２のＬＰＰ（land pre-pit）に記録されたメディアＩＤ情報（ＭＩＤ）を読み出して、このＤＶＤ−Ｒ２のメーカや品種を判定し、この光ディスク用に設定されたライトストラテジをＲＯＭ１８から読み出す。続いて、光ディスク記録装置１は、データのテスト記録（ＯＰＣ）を行う前に、本体にセットされたＤＶＤ−Ｒ２の反り角を測定して、その反り角に応じてライトストラテジの補正を行う。
【００２３】
具体的には、以下のように処理を行う。図２は、補正テーブルと光ディスクの測定状態を示す図である。光ディスク記録装置１では、反り角と、ライトストラテジのオフセット値と、を対応付けた補正テーブルが、光ディスクのメーカや品種毎に複数ＲＡＭ１７に格納されている。この補正テーブルでは、図２（Ａ）に示すように、記録パワーのオフセット値が、３Ｔ〜１１Ｔ・１４Ｔについてピット長毎に反り角に応じて設定されている。ここで、図２では、光ディスクが上側（ラベル面側）に反っている場合の反り角をプラス表示し、光ディスクが下側（記録面側）に反っている場合の反り角をマイナス表示している。光ディスク記録装置１では、チルトサーボ機構により光ピックアップ１３の反り角を補正するように構成されているが、光ディスクの反りがラベル面側へ大きくなるほど、光ピックアップ１３内の図外のレーザダイオードから光ディスクの記録面までの距離が遠くなる。また、光ディスクの反りが下側へ大きくなるほど、光ピックアップ１３内の図外のレーザダイオードから光ディスクの記録面までの距離が近くなる。そのため、上記の補正テーブルには、反り角の値がプラス側に大きくなるのに応じてオフセット値がプラス側に大きくなるように、また、反り角の値がマイナス側に大きくなるのに応じてオフセット値がマイナス側に大きくなるように設定されている。なお、反り角が小さい場合（例えば、−１°〜＋１°）には、補正の必要が無いので、上記の補正テーブルでは、ライトストラテジのオフセット値は０に設定されている。
【００２４】
光ディスク記録装置１では、光ディスクにテストデータを記録する前に、半径方向の複数の異なる箇所で反り角の測定を行う。例えば、図２（Ｂ）に示すように、光ディスク記録装置１に光ディスクの記録領域を５分割して反り角を測定するように予め設定された場合には、光ディスクの記録領域において、最内周記録内周側から外周側までを５分割して合計６箇所の反り角を測定する。反り角の測定が完了すると、このデータをＭＩＤと対応付けてＲＡＭ１７に格納されるとともに、ＲＡＭ１７に格納された補正テーブルに基づいてライトストラテジの補正が行われる。そして、光ディスク記録装置１は、このライトストラテジの補正が完了すると、ＯＰＣを行って最適記録パワーを決定し、続いてデータの本記録を行う。
【００２５】
また、光ディスク記録装置１では、上記のように反りの測定を行うと、その光ディスクのＭＩＤと反り角の測定情報とを対応付けて記憶手段に記憶させるので、光ディスクにデータを記録する毎にＭＩＤと反り角の測定情報が蓄積される。光ディスク記録装置１は、同じ品番の光ディスクについて、同一の光ディスクに複数回データを記録した場合を除いて例えば２０枚分のデータが蓄積されると、この光ディスクについて反り角のデータの分析を行い、ライトストラテジの補正が必要か否かの判定を行う。そして、分析の結果、反りが発生していてもデータの書き込みには全く影響が無い場合には、この光ディスクを反り角測定不要ディスクに設定して、その光ディスクのＭＩＤ（品種）を登録する。したがって、光ディスク記録装置１は、光ディスクが本体にセットされて、その光ディスクのメーカや品種を判定する際に、その光ディスクのＭＩＤが反り角測定不要ディスクに設定されていると、その光ディスク用に設定されたライトストラテジをＲＡＭ１７から読み出した後に、ライトストラテジの補正を行わずにデータのテスト記録（ＯＰＣ）を行う。
【００２６】
このように、光ディスク記録装置１では、実測データに基づいて反りの影響がほとんど無い光ディスクを登録して、データの書き込み前のテストを簡略化することができる。
【００２７】
次に、光ディスク記録装置１の動作についてフローチャートに基づいて説明する。図３は、本発明の実施形態に係る光ディスク記録装置の動作を説明するためのフローチャートである。光ディスク記録装置１のＣＰＵ１０は、本体にＤＶＤ−Ｒ２がセットされるとともに（ｓ１）、コンピュータ５の操作部にてデータの記録操作が行われたことを検出すると（ｓ２）、光ピックアップ１３を記録領域に移動させて、このＤＶＤ−Ｒ２のＭＩＤを取得する（ｓ３）。続いて、ＣＰＵ１０は、ＤＶＤ−Ｒ２の反り角を測定する（ｓ４）。すなわち、ＣＰＵ１０は、光ピックアップ１３を記録領域の最内周側に移動させる。そして、ＣＰＵ１０は光ピックアップ１３を所定距離ずつ移動させて、合計６箇所の反り角を測定する。
【００２８】
ＣＰＵ１０は、ＤＶＤ−Ｒ２の反り角の測定が完了すると（ｓ５）、このデータをＤＶＤ−Ｒ２のＭＩＤと対応付けてＲＡＭ１７に格納するとともに、ＲＡＭ１７に格納された補正テーブルに基づいてライトストラテジの補正を行う（ｓ６）。そして、光ディスク記録装置１のＣＰＵ１０は、このライトストラテジの補正が完了すると、ＯＰＣを行って最適記録パワーを決定する（ｓ７）。続いて、ＣＰＵ１０は、インタフェイス３を介してコンピュータ５へ記録データの送信要求を出力し（ｓ８）、コンピュータ５からデータが送られてくると、記録信号処理部１５から光ピックアップ１３へこのデータを出力して、光ディスクＤにデータの本記録を行う（ｓ９）。ＣＰＵ１０は、コンピュータ５からのデータ出力が完了すると、ＤＶＤ−Ｒ２に対してファイナライズ処理を行い（ｓ１０）、記録処理を終了する。
【００２９】
次に、光ディスク記録装置１では、反りの発生率が高い光ディスクのＭＩＤリストをファームウェアの更新の際に取得することができる。このＭＩＤリストを取得することで、光ディスクが本体にセットされてＭＩＤを読み出すと、反りの発生率が高い光ディスクであるか否かをＭＩＤリストに基づいて判定する。そして、ＣＰＵ１０は、上記のリストを参照して、セットされた光ディスクが反りの発生が多いメーカ（品種）のものであるか否かを判定する。
【００３０】
ＣＰＵ１０は、本体にセットされた光ディスクがＭＩＤリストに含まれている光ディスクの場合には、その光ディスクの反り角を測定して、ライトストラテジの補正を行う。一方、ＣＰＵ１０は、ＭＩＤリストに含まれていない光ディスクの場合には、光ディスクに反りはほとんど発生しないメーカのものであり、また反りが発生していてもデータの記録にほとんど影響が無いため、反り角の測定は行わずに、つまりライトストラテジの補正を行わずに、その光ディスクに設定されたライトストラテジをそのまま使用する。
【００３１】
したがって、光ディスク記録装置１は、ユーザが光ディスクを本体にセットしてデータの記録操作を行ったことを検出すると、その光ディスクが反りの発生率が高いものであるか否かを自動的に判定して、ライトストラテジをそのまま、または補正して設定するので、その光ディスクの品種に応じて最適な記録方法によりデータを記録させることができる。
【００３２】
次に、光ディスク記録装置１の動作を、フローチャートを用いて説明する。図４は、本発明の実施形態に係る光ディスク記録装置の動作を説明するためのフローチャートである。光ディスク記録装置１のＣＰＵ１０は、本体にＤＶＤ−Ｒ２がセットされるとともに（ｓ１１）、コンピュータ５の操作部にてデータの記録操作が行われたことを検出すると（ｓ１２）、光ピックアップ１３をＤＶＤ−Ｒ２の記録領域に移動させて、このＤＶＤ−Ｒ２のＭＩＤを取得する（ｓ１３）。続いて、ＣＰＵ１０は、ＲＡＭ１７に格納されたＭＩＤリストを参照して、ＤＶＤ−Ｒ２のＭＩＤがこのＭＩＤリストに含まれているか否かを確認する（ｓ１４）。ＣＰＵ１０は、ＤＶＤ−Ｒ２のＭＩＤがＭＩＤリストに含まれていない場合には、このＭＩＤに対応するライトストラテジを読み出す。そして、ＯＰＣを行って最適記録パワーを決定する（ｓ１９）。
【００３３】
一方、ステップｓ１４においてＤＶＤ−Ｒ２のＭＩＤがＭＩＤリストに含まれている場合には、ＣＰＵ１０は、このＭＩＤに対応するライトストラテジを読み出す（ｓ１５）。続いて、ＣＰＵ１０は、光ディスクＤの反り角を測定する（ｓ１６）。すなわち、ＣＰＵ１０は、光ピックアップ１３を記録領域の最内周側に移動させる。そして、ＣＰＵ１０は光ピックアップ１３を所定距離ずつ移動させて、合計６箇所の反り角を測定する。
【００３４】
ＣＰＵ１０は、反り角の測定が完了すると（ｓ１７）、このデータをＭＩＤと対応付けてＲＡＭ１７に格納するとともに、ＲＡＭ１７に格納された補正テーブルに基づいてライトストラテジの補正を行う（ｓ１８）。そして、光ディスク記録装置１のＣＰＵ１０は、このライトストラテジの補正が完了すると、ＯＰＣを行って最適記録パワーを決定する（ｓ１９）。続いて、ＣＰＵ１０は、記録データの送信要求を、インタフェイス３を介してコンピュータ５へ出力し（ｓ２０）、コンピュータ５からデータが送られてくると、記録信号処理部１５から光ピックアップ１３へこのデータを出力して、ＤＶＤ−Ｒ２にデータの本記録を行う（ｓ２１）。
【００３５】
ＣＰＵ１０は、コンピュータ５からのデータ出力が完了すると、ＤＶＤ−Ｒ２に対してファイナライズ処理を行い（ｓ２２）、記録処理を終了する。
【図面の簡単な説明】
【００３６】
【図１】光ディスク記録装置の概略構成を示すブロック図である。
【図２】補正テーブルと光ディスクの測定状態を示す図である。
【図３】本発明の実施形態に係る光ディスク記録装置の動作を説明するためのフローチャートである。
【図４】本発明の実施形態に係る光ディスク記録装置の動作を説明するためのフローチャートである。
【符号の説明】
【００３７】
１−光ディスク記録装置    ２−ＤＶＤ−Ｒ    ３−インタフェイス
５−コンピュータ    ６−ディスプレイ    ７−ハードディスク（ＨＤＤ）
８−操作部    ９−通信インタフェイス
１１−モータ    １２−モータ駆動回路
１３−光ピックアップ    １３ｓ−チルトセンサ    １４−再生信号処理部
１５−記録信号処理部    １６−サーボ回路    ＲＡＭ１７    ＲＯＭ１８
【図１】
2006179089.tif 000003
【図２】
2006179089.tif 000004
【図３】
2006179089.tif 000005
【図４】
2006179089.tif 000006